(57)【要約】      （修正有）【課題】コーヒー粉が静電気作用を発生し、本体や出口部に付着することを回避する、コーヒーミル装置の挽き豆排出装置を提供する。【解決手段】コーヒーミル装置の挽き豆排出装置１００は、漏斗状のヘッドユニット１０と、ゴムリング２０を含み、ヘッドユニットは一側がコーヒーミル装置の出口部に取り付けられ、他側が研磨後のコーヒー粉をガイドして容器内に落とし、ヘッドユニットにゴムリングを配置するための取付部１１と、取付部から下に延伸された管状の排出管１２が設けられ、ゴムリングが取付部内に設置され、ゴムリングを介してヘッドユニットがコーヒーミル装置の出口部に取り付けられ、ゴムリングが貫通口２１を備え、貫通口が組み立てたときに排出管の管口にちょうど対応し、ゴムリングが出口部に被着される。研磨後のコーヒー粉が直接粉受け容器内に落ちる。【選択図】図４
0003235007.tif 000002
【実用新案登録請求の範囲】
【請求項１】
コーヒーミル装置の挽き豆排出装置であって、ヘッドユニットと、ゴムリングを含んで構成され、
前記ヘッドユニットが漏斗状の容器であり、その一側がコーヒーミル装置の出口部に取り付けられ、他側が研磨後のコーヒー粉をガイドして容器内に落とし、前記ヘッドユニットに前記ゴムリングを配置するための取付部と、前記取付部から下に延伸して構成された管状の排出管が設けられ、
前記ゴムリングが前記取付部内に設置され、前記ゴムリングを介して前記ヘッドユニットが前記コーヒーミル装置の出口部に取り付けられ、前記ゴムリングが貫通口を備え、前記貫通口が組み立てたときに前記排出管の管口にちょうど対応し、かつ前記ゴムリングが前記出口部に被着され、
これにより、前記ゴムリングを介して前記ヘッドユニットを前記コーヒーミル装置の出口部に取り付け、前記コーヒーミル装置がコーヒー豆を研磨してコーヒー粉にしたとき、コーヒー粉を前記ヘッドユニットの排出管から前記容器内へガイドし、コーヒー粉が摩擦により静電気を発生して前記コーヒーミル装置の出口部または前記コーヒーミル装置の本体に付着しないようにするよう構成した、ことを特徴とする、コーヒーミル装置の挽き豆排出装置。
【請求項２】
前記ゴムリングにさらに凹陥槽が設けられ、前記凹陥槽に環状磁石を設置することができ、前記ヘッドユニットが金属材質で製造され、前記環状磁石により前記ゴムリングを前記ヘッドユニットの取付部に磁力吸着させることができる、ことを特徴とする、請求項１に記載のコーヒーミル装置の挽き豆排出装置。
【請求項３】
コーヒーミル装置の挽き豆排出装置であって、ヘッドユニットと、固定リングモジュールを含んで構成され、
前記ヘッドユニットが漏斗状の容器であり、その一側がコーヒーミル装置の出口部に取り付けられ、他側が研磨後のコーヒー粉をガイドして容器内に落とし、前記ヘッドユニットに前記固定リングモジュールを配置するための取付部と、前記取付部から下に延伸して構成された管状の排出管が設けられ、
前記固定リングモジュールが前記取付部内に設置され、前記固定リングモジュールを介して前記ヘッドユニットが前記コーヒーミル装置の出口部に取り付けられ、前記固定リングモジュールが、リング内蓋と、磁石リングを含んで構成され、前記リング内蓋の貫通口が組み立てたときに前記排出管の管口にちょうど対応し、前記磁石リングと前記リング内蓋が接合され、かつ前記磁石リングが前記出口部に被着され、かつ磁力吸着し、
これにより、前記固定リングモジュールが前記ヘッドユニットを磁力吸着し、挿入方式で前記コーヒーミル装置の出口部に結合され、前記コーヒーミル装置がコーヒー豆を研磨してコーヒー粉にしたとき、コーヒー粉を前記ヘッドユニットの排出管から前記容器内へガイドし、コーヒー粉が摩擦により静電気を発生して前記コーヒーミル装置の出口部または前記コーヒーミル装置の本体に付着しないようにするよう構成した、ことを特徴とする、コーヒーミル装置の挽き豆排出装置。
【請求項４】
前記リング内蓋に環状磁石を設置するための凹陥槽が設けられ、また前記ヘッドユニットが金属材料で製造され、前記環状磁石が前記リング内蓋を前記ヘッドユニットの取付部に吸着することができる、ことを特徴とする、請求項３に記載のコーヒーミル装置の挽き豆排出装置。
【請求項５】
前記磁石リングが、磁石上カバーと、磁石下カバーと、磁力吸着部材と、軟質ビニルリングを含んで構成され、前記磁力吸着部材が前記磁石下カバーに取り付けられ、前記軟質ビニルリングを前記磁力吸着部材の上端に組み込み、さらに前記磁石上カバーを前記磁石下カバーの上端に取り付け、前記磁力吸着部材が発生する磁力により、前記磁石リングを前記コーヒーミル装置の出口部に吸着させる、ことを特徴とする、請求項３に記載のコーヒーミル装置の挽き豆排出装置。
【考案の詳細な説明】
【技術分野】
【０００１】
本考案はコーヒーミル装置の設備に運用され、特に、コーヒーミル装置に挽き豆排出距離を延長する挽き豆排出装置を追加設置し、研磨後のコーヒー粉が直接粉受け容器内に落ちるようにすることで、コーヒー粉が静電気作用を発生し、コーヒーミル装置に付着することを回避する、コーヒーミル装置の挽き豆排出装置に関する。
【背景技術】
【０００２】
図１に、現在のコーヒーミルの構造図を示す。コーヒー豆を研磨してコーヒー粉にした後は、出口部Ａから容器Ｂ（粉受けボックス）内に落ちて収集される。
【０００３】
しかしながら、図１に示すように、コーヒー粉が出口部から容器Ｂに落ちる際、コーヒー粉Ｃの顆粒が相互に摩擦されて静電気が発生するため、たくさんのコーヒー粉Ｃが出口部周囲と本体に付着し、後続の掃除時にコーヒー粉が四散し、掃除しにくいことがある。
【考案の概要】
【考案が解決しようとする課題】
【０００４】
本考案の主な目的は、コーヒーミル装置の出口部に挽き豆排出距離を延伸する挽き豆排出装置を設置し、研磨後のコーヒー粉が直接粉受け容器内に落ちるようにすることで、コーヒー粉が静電気作用を発生し、本体や出口部に付着することを回避する、コーヒーミル装置の挽き豆排出装置を提供することにある。
【課題を解決するための手段】
【０００５】
以下、この考案について説明する。
請求項１に記載するコーヒーミル装置の挽き豆排出装置は、ヘッドユニットと、ゴムリングを含んで構成され、
該ヘッドユニットが漏斗状の容器であり、その一側がコーヒーミル装置の出口部に取り付けられ、他側が研磨後のコーヒー粉をガイドして容器内に落とし、該ヘッドユニットに該ゴムリングを配置するための取付部と、該取付部から下に延伸して構成された管状の排出管が設けられ、
該ゴムリングが該取付部内に設置され、該ゴムリングを介して該ヘッドユニットが該コーヒーミル装置の出口部に取り付けられ、該ゴムリングが貫通口を備え、該貫通口が組み立てたときに該排出管の管口にちょうど対応し、かつ該ゴムリングが該出口部に被着され、
これにより、該ゴムリングを介して該ヘッドユニットを該コーヒーミル装置の出口部に取り付け、該コーヒーミル装置がコーヒー豆を研磨してコーヒー粉にしたとき、コーヒー粉を該ヘッドユニットの排出管から該容器内へガイドし、コーヒー粉が摩擦により静電気を発生して該コーヒーミル装置の出口部または該コーヒーミル装置の本体に付着しないように構成される。
【０００６】
請求項２に記載するコーヒーミル装置の挽き豆排出装置は、請求項１におけるゴムリングにさらに凹陥槽が設けられ、前記凹陥槽に環状磁石を設置することができ、前記ヘッドユニットが金属材質で製造され、前記環状磁石により前記ゴムリングを前記ヘッドユニットの取付部に磁力吸着させることができる。
【０００７】
前述の実施例において、該ヘッドユニットをプラスチック材質とし、かつ該取付部の底部に金属リングを設置して、該環状磁石を組み合わせ、該ヘッドユニットと該ゴムリングを結合させてもよい。
【０００８】
請求項３に記載するコーヒーミル装置の挽き豆排出装置は、ヘッドユニットと、固定リングモジュールを含んで構成され、
前記ヘッドユニットが漏斗状の容器であり、その一側がコーヒーミル装置の出口部に取り付けられ、他側が研磨後のコーヒー粉をガイドして容器内に落とし、前記ヘッドユニットに前記固定リングモジュールを配置するための取付部と、前記取付部から下に延伸して構成された管状の排出管が設けられ、
前記固定リングモジュールが前記取付部内に設置され、前記固定リングモジュールを介して前記ヘッドユニットが前記コーヒーミル装置の出口部に取り付けられ、前記固定リングモジュールが、リング内蓋と、磁石リングを含んで構成され、前記リング内蓋の貫通口が組み立てたときに前記排出管の管口にちょうど対応し、前記磁石リングと前記リング内蓋が接合され、かつ前記磁石リングが前記出口部に被着され、かつ磁力吸着し、
これにより、前記固定リングモジュールが前記ヘッドユニットを磁力吸着し、挿入方式で前記コーヒーミル装置の出口部に結合され、前記コーヒーミル装置がコーヒー豆を研磨してコーヒー粉にしたとき、コーヒー粉を前記ヘッドユニットの排出管から前記容器内へガイドし、コーヒー粉が摩擦により静電気を発生して前記コーヒーミル装置の出口部または前記コーヒーミル装置の本体に付着しないようにするよう構成される。
【０００９】
請求項４に記載するコーヒーミル装置の挽き豆排出装置は、請求項３におけるリング内蓋に環状磁石を設置するための凹陥槽が設けられ、また前記ヘッドユニットが金属材料で製造され、前記環状磁石が前記リング内蓋を前記ヘッドユニットの取付部に吸着することができる。
【００１０】
請求項５に記載するコーヒーミル装置の挽き豆排出装置は、請求項３における磁石リングが、磁石上カバーと、磁石下カバーと、磁力吸着部材と、軟質ビニルリングを含んで構成され、前記磁力吸着部材が前記磁石下カバーに取り付けられ、前記軟質ビニルリングを前記磁力吸着部材の上端に組み込み、さらに前記磁石上カバーを前記磁石下カバーの上端に取り付け、前記磁力吸着部材が発生する磁力により、前記磁石リングを前記コーヒーミル装置の出口部に吸着させる。
【考案の効果】
【００１１】
上述の説明を受けて、本考案の特徴と効果は次のとおりである。
本考案はコーヒーミル装置に挽き豆排出距離を延長する挽き豆排出装置を追加設置し、研磨後のコーヒー粉が直接粉受け容器内に落ちるようにすることで、コーヒー粉が静電気作用を発生し、コーヒーミル装置の本体または出口部に付着することを回避して、後続の掃除をしやすくすることができる。
【図面の簡単な説明】
【００１２】
【図１】現在のコーヒーミル装置の概略図である。
【図２】本考案をコーヒーミル装置に取り付けた状態の概略図である。
【図３】本考案の実施例１の構造を示す立体外観図である。
【図４】図３の立体分解図である。
【図５】本考案の実施例２の構造を示す立体外観図である。
【図６】図５の立体分解図である。
【考案を実施するための形態】
【実施例１】
【００１３】
図２から図４に示すように、本考案のコーヒーミル装置の挽き豆排出装置１００の実施例１は、ヘッドユニット１０と、固定リングモジュール４０を含んで構成される。本実施例では、主に、固定リングモジュール４０をコーヒーミル装置上に被着するが、以下で詳細に説明する。
【００１４】
図２から図４に示すように、該ヘッドユニット１０は漏斗状の容器であり、その一側がコーヒーミル装置の出口部Ａに取り付けられ、他側が研磨後のコーヒー粉Ｃをガイドして容器Ｂ（本考案の実施例は粉受けボックス）内に落とし、該ヘッドユニット１０に該ゴムリング２０を配置するための取付部１１と、該取付部１１から下に延伸して構成された管状の排出管１２が設けられる。
【００１５】
図３、図４に示すように、該ゴムリング２０が該取付部１１内に設置され、該ゴムリング２０を介して該ヘッドユニット１０が該コーヒーミル装置の出口部Ａに取り付けられ、該ゴムリング２０が貫通口２１を備え、該貫通口２１が組み立てたときに該排出管１２の管口にちょうど対応し、かつ該ゴムリング２０が該出口部Ａに被着される。
【００１６】
図４に示すように、該ゴムリング２０にさらに凹陥槽２２が設けられ、該凹陥槽２２に環状磁石２３を設置することができ、該ヘッドユニット１０を金属材質で製造することで、該環状磁石２３により該ゴムリング２０を該ヘッドユニット１０の取付部１１に吸着させることができる。前述の実施例において、該ヘッドユニット１０をプラスチック材質とし、かつ該取付部１１の底部に金属リング（図示しない）を設置して、該環状磁鐵２３を組み合わせ、該ヘッドユニット１０と該ゴムリング２０を結合させてもよい。
【００１７】
これにより、該ゴムリング２０を介して該ヘッドユニット１０を該コーヒーミル装置の出口部Ａに取り付け、該コーヒーミル装置がコーヒー豆を研磨してコーヒー粉Ｃにしたとき、コーヒー粉Ｃを該ヘッドユニット１０の排出管１２から該容器Ｂ内へガイドし、コーヒー粉Ｃが摩擦により静電気を発生して該コーヒーミル装置の出口部Ａまたは該コーヒーミル装置の本体に付着しないようにすることができる。
【実施例２】
【００１８】
図２、図５、図６に示すように、本考案のコーヒーミル装置の挽き豆排出装置２００の実施例２は、ヘッドユニット３０と、固定リングモジュール４０を含んで構成される。
【００１９】
図５、図６に示すように、本実施例では、主に、固定リングモジュール４０を磁力吸着方式でコーヒーミル装置に結合する。このため、該ヘッドユニット３０の基本的な構造は、実施例１のヘッドユニット１０の構造と同じであり、図２に示すように、該ヘッドユニット３０は漏斗状の容器であり、基本的に実施例２の取り付け方式は実施例１と同じく、同様にその一側がコーヒーミル装置の出口部Ａに取り付けられ、他側が研磨後のコーヒー粉Ｃをガイドして容器Ｂ（本考案の実施例は粉受けボックス）内に落とし、該ヘッドユニット３０に該固定リングモジュール４０を配置するための取付部３１と、該取付部３１から下に延伸して構成された管状の排出管３２が設けられ、磁力吸着による結合の目的を達成するために、該ヘッドユニット３０は金属材質で製造される。
【００２０】
図５、図６に示すように、該固定リングモジュール４０が該取付部３１内に設置され、該固定リングモジュール４０を介して該ヘッドユニット３０が該コーヒーミル装置の出口部Ａに取り付けられ、該固定リングモジュール４０が、リング内蓋４１と、磁石リング４２を含んで構成され、該リング内蓋４１の貫通口４１１が組み立てたときに該排出管３２の管口にちょうど対応し、該磁石リング４２と該リング内蓋４１が接合され、かつ該磁石リング４２が該出口部Ａに被着され、かつ磁力吸着される。
【００２１】
図６に示すように、さらに、該リング内蓋４１に環状磁石４１３を設置するための凹陥槽４１２,が設けられ、また、該ヘッドユニット３０が金属材料で製造され、該環状磁石４１３が該リング内蓋４１を該ヘッドユニット３０の取付部３１に吸着することができる。
【００２２】
図６に示すように、該磁石リング４２が、磁石上カバー４２１と、磁石下カバー４２２と、磁力吸着部材４２３と、軟質ビニルリング４２４を含んで構成され、該磁力吸着部材４２３が該磁石下カバー４２２に取り付けられ、該軟質ビニルリング４２４を該磁力吸着部材４２３の上端に組み込み、さらに該磁石上カバー４２１を該磁石下カバー４２２の上端に取り付け、該磁力吸着部材４２３が発生する磁力により、該磁石リング４２を該コーヒーミル装置の出口部Ａに吸着させる。
【００２３】
これにより、該固定リングモジュール４０が該ヘッドユニット３０を磁力吸着し、挿入方式で該コーヒーミル装置の出口部Ａに結合され、該コーヒーミル装置がコーヒー豆を研磨してコーヒー粉Ｃにしたとき、コーヒー粉Ｃを該ヘッドユニット３０の排出管３２から該容器Ｂ内へガイドし、コーヒー粉Ｃが摩擦により静電気を発生して該コーヒーミル装置の出口部Ａまたは該コーヒーミル装置の本体に付着しないようにすることができる。
【００２４】
上述の説明を受けて、本考案の具体的な効果は、コーヒーミル装置に挽き豆排出距離を延長する挽き豆排出装置１００(２００)を追加設置し、研磨後のコーヒー粉Ｃが直接コーヒー粉Ｃを受け入れる容器Ｂ内に落ちるようにすることで、コーヒー粉Ｃが静電気作用を発生し、コーヒーミル装置の本体または出口部Ａに付着することを回避して、後続の掃除をしやすくすることができる。
【符号の説明】
【００２５】
（実施例１）
１００        コーヒーミル装置の挽き豆排出装置
１０        ヘッドユニット
１１        取付部
１２        排出管
２０        ゴムリング
２１        貫通口
２２        凹陥槽
２３        環状磁石
（実施例２）
３０        ヘッドユニット
３１        取付部
３２        排出管
４０        固定リングモジュール
４１        リング内蓋
４１１        貫通口
４１２        凹陥槽
４１３        環状磁石
４２        磁石リング
４２１        磁石上カバー
４２２        磁石下カバー
４２３        磁力吸着部材
４２４        軟質ビニルリング
Ａ        出口部
Ｂ        容器
Ｃ        コーヒー粉
【図１】
0003235007.tif 000003
【図２】
0003235007.tif 000004
【図３】
0003235007.tif 000005
【図４】
0003235007.tif 000006
【図５】
0003235007.tif 000007
【図６】
0003235007.tif 000008